(57)【要約】【課題】選択的にメイン画像データを表示するメイン表示部と常時付加画像データを表示するサブ表示部に区画された表示パネルに光を提供し、メイン表示部とサブ表示部の双方が光を必要とする選択駆動モードと、サブ表示部のみが光を必要とする常時駆動モードを備え、常時駆動モードにおける消費電力が選択駆動モードにおける消費電力よりも抑制されており、サブ表示部への出射光の輝度を常時駆動モードにおいても選択駆動モードと実質的に同等に維持することが可能なバックライトアセンブリを提供する。【解決手段】光を出射する光源と光をガイドする光ガイドユニットとを備え、光ガイドユニットは（ａ）光が入射する入光面、（ｂ）メイン表示部に対応するメイン領域とサブ表示部に対応し出光量を増加させる光学パターンが形成されたサブ領域に区画され、ガイドした光を表示パネルに向けて出射する出光面、（ｃ）出光面に対向する対向面を含む。【選択図】図８
2006350338.tif 000002
【特許請求の範囲】
【請求項１】
選択的にメイン画像データを表示するメイン表示部と、常時に付加画像データを表示するサブ表示部に区画された表示パネルに光を提供するバックライトアセンブリにおいて、
光を出射する光源と、前記光をガイドする光ガイドユニットとを備え、
前記光ガイドユニットは、（ａ）前記光が入射する入光面、（ｂ）前記メイン表示部に対応するメイン領域と、前記サブ表示部に対応し、出光量を増加させる光学パターンが形成されたサブ領域に区画されて、ガイドした光を前記表示パネルに向けて出射する出光面、及び（ｃ）前記出光面に対向する対向面を含むことを特徴とするバックライトアセンブリ。
【請求項２】
前記光学パターンは、第１の、横断面が一定のピッチで配置された山型からなるプリズム列を含むことを特徴とする請求項１記載のバックライトアセンブリ。
【請求項３】
前記第１のプリズム列の山型は、三角形であることを特徴とする請求項２記載のバックライトアセンブリ。
【請求項４】
前記対向面にさらに第２のプリズム列が形成されることを特徴とする請求項２記載のバックライトアセンブリ。
【請求項５】
前記メイン領域は、平坦な面を有することを特徴とする請求項１記載のバックライトアセンブリ。
【請求項６】
前記メイン領域は前記入光面に隣接し、前記サブ領域は前記入光面から離隔していることを特徴とする請求項１記載のバックライトアセンブリ。
【請求項７】
前記対向面は、反射面であることを特徴とする請求項１記載のバックライトアセンブリ。
【請求項８】
前記光学パターンは、エンボシング部（凸ドットのアレイ）を含むことを特徴とする請求項１記載のバックライトアセンブリ。
【請求項９】
前記対向面には光散乱パターンが形成され、前記光散乱パターンは、前記メイン領域に対応する対抗面の部分には相対的に疎に形成され、前記サブ領域に対応する対抗面の部分には相対的に密に形成されることを特徴とする請求項１記載のバックライトアセンブリ。
【請求項１０】
選択的にメイン画像データを表示するメイン表示部と、常時に付加画像データを表示するサブ表示部に区画された表示パネルに光を提供するバックライトアセンブリにおいて、
光を出射する光源と、
前記光が入射する入光面と、前記メイン表示部に対応するメイン領域及び前記サブ表示部に対応するサブ領域に区画されて、ガイドした光を出射する出光面を含む光ガイドユニットと、
少なくとも前記メイン領域に配置され、前記メイン領域から出射される光の輝度を第１上昇率だけ向上する第１光学シートと、
前記サブ領域に配置され、前記サブ領域から出射される光の輝度を第２上昇率だけ向上する第２光学シートと、を含むことを特徴とするバックライトアセンブリ。
【請求項１１】
前記第１光学シートは、前記サブ領域をカバーするように配置され、前記第２光学シートは、前記第１光学シートとオーバーレイするように配置されることを特徴とする請求項１０記載のバックライトアセンブリ。
【請求項１２】
前記第２光学シートは、デュアルブライトネスエンハンスメントフィルムを含むことを特徴とする請求項１１記載のバックライトアセンブリ。
【請求項１３】
前記第１光学シートは、
前記出光面から出射された光の輝度均一性を向上する拡散シートと、
前記拡散シートから出射された光を集光する第１集光シートと、を含むことを特徴とする請求項１１記載のバックライトアセンブリ。
【請求項１４】
前記第２光学シートは、前記第１集光シートの集光方向と交差する方向に集光する第２集光シートを含むことを特徴とする請求項１３記載のバックライトアセンブリ。
【請求項１５】
選択的にメイン画像データを表示するメイン表示部と、常時に付加画像データを表示するサブ表示部に区画された表示パネルに光を提供するバックライトアセンブリにおいて、
前記メイン表示部に隣接して配置され、選択的に第１光を出射する第１光源と、
前記サブ表示部に隣接して配置され、常時に第２光を出射する第２光源と、
前記第１光及び第２光をガイドして前記表示パネルに出射する光ガイドユニットと、を含むことを特徴とするバックライトアセンブリ。
【請求項１６】
前記光ガイドユニットは、
前記メイン表示部に対応するメイン領域及び前記サブ表示部に対応するサブ領域に区画された出光面と、
前記メイン領域に連結され、前記第１光源が配置される第１側面と、
前記サブ領域に連結され、前記第２光源が配置される第２側面と、を含むことを特徴とする請求項１５記載のバックライトアセンブリ。
【請求項１７】
前記光ガイドユニットは、
前記メイン表示部に対応し、前記第１光源が配置されるメイン導光板と、
前記サブ表示部に対応し、前記第２光源が配置されるサブ導光板と、を含むことを特徴とする請求項１５記載のバックライトアセンブリ。
【請求項１８】
前記光ガイドユニットは、前記メイン導光板とサブ導光板との間に配置され、前記メイン導光板とサブ導光板との光漏れを遮断する反射膜を更に含むことを特徴とする請求項１７記載のバックライトアセンブリ。
【請求項１９】
前記光ガイドユニット上に配置され、前記光ガイドユニットから出射された光の輝度均一性及び正面輝度を向上させる光学シートを更に含むことを特徴とする請求項１５記載のバックライトアセンブリ。
【請求項２０】
前記第１光源及び第２光源は、発光ダイオードを含むことを特徴とする請求項１５記載のバックライトアセンブリ。
【請求項２１】
光を出射する光源と、前記光をガイドする光ガイドユニットとからなるバックライトアセンブリを備え、
前記光ガイドユニットは、（ａ）前記光が入射される入光面、及び、（ｂ）メイン領域と、出光量を増加させる光学パターンが形成されたサブ領域に区画されて、ガイドした光を出射する出光面を含み、
さらに、前記メイン領域から出射された光を用いてメイン画像データを表示するメイン表示部と、前記サブ領域から出射された光を用いて付加画像データを表示するサブ表示部とを有する表示パネルを備えることを特徴とする表示装置。
【請求項２２】
前記光ガイドユニットは、前記出光面と対向して光散乱パターンが形成された対向面を更に含み、
前記光散乱パターンは、前記メイン領域に対応する対抗面には相対的に疎に形成され、前記サブ領域に対応する対抗面には相対的に密に形成されることを特徴とする請求項２１記載の表示装置。
【請求項２３】
（ｉ）光を出射する光源と、（ｉｉ）前記光をガイドする光ガイドユニットと、からなるバックライトアセンブリを備え、
前記光ガイドユニットは、（ａ）前記光が入射される入光面、及び、（ｂ）メイン領域とサブ領域に区画されて、ガイドした光を出射する出光面を含み、
前記バックライトアセンブリは、さらに（ｉｉｉ）前記メイン領域及びサブ領域を覆うように配置され、前記メイン領域及びサブ領域から出射される光の輝度を第１上昇率だけ向上する第１光学シートと、（ｉｖ）前記サブ領域に配置され、前記サブ領域から出射される光の輝度を第２上昇率だけに向上する第２光学シートとを有し、
さらに、（ｃ）前記第１光学シートを介して出射された光を用いてメイン画像データを表示するメイン表示部と、（ｄ）前記第１光学シート及び第２光学シートを通じて出射された光を用いて付加画像データを表示するサブ表示部と、を有する表示パネルを備えることを特徴とする表示装置。
【請求項２４】
前記第１光学シートは、
前記出光面から出射された光の輝度均一性を向上させる拡散シートと、
前記拡散シートから出射された光を集光させる第１集光シートと、を含むことを特徴とする請求項２３記載の表示装置。
【請求項２５】
前記第２光学シートは、
デュアルブライトネスエンハンスメントフィルム及び第２集光シートの、いずれか一つ又は双方を含むことを特徴とする請求項２４記載の表示装置。
【請求項２６】
選択駆動モードにおいて選択的にメイン画像データを表示するメイン表示部と、常時駆動モードにおいて付加画像データを表示するサブ表示部を有する表示パネルと、
前記メイン表示部に隣接して配置されて第１光を出射する第１光源と、前記サブ表示部に隣接して配置されて第２光を出射する第２光源と、前記第１光及び第２光をガイドして前記表示パネルに向けて出射する光ガイドユニットとを含むバックライトアセンブリと、
前記選択駆動モード時、前記第１光源に駆動電源を提供し、前記常時駆動モード時、前記第２光源に駆動電源を提供するように前記第１光源及び第２光源を制御する駆動回路部と、を含むことを特徴とする表示装置。
【請求項２７】
前記駆動回路部は、前記表示パネルに電気的に連結され、
前記選択駆動モード時、前記メイン画像データを表示するための第１駆動信号を前記表示パネルに出力し、
前記常時駆動モード時、前記付加画像データを表示するための第２駆動信号を前記表示パネルに出力することを特徴とする請求項２６記載の表示装置。
【請求項２８】
前記光ガイドユニットは、
前記第１光源が配置される第１側面と、
前記第２光源が配置される第２側面と、
前記第１側面及び第２側面に連結され、ガイドされた前記第１光及び第２光が出射される出光面と、を含むことを特徴とする請求項２６記載の表示装置。
【請求項２９】
前記光ガイドユニットが、
前記メイン表示部に対応し、その側面に前記第１光源が配置されるメイン導光板と、
前記サブ表示部に対応し、その側面に前記第２光源が配置されるサブ導光板と、を含むことを特徴とする請求項２６記載の表示装置。
【請求項３０】
選択駆動モードにおいて選択的にメイン画像データを表示するメイン表示部と、常時駆動モードにおいて付加画像データを表示するサブ表示部を有する表示パネルと、
前記サブ表示部に隣接して配置され、光を出射する点光源と、前記光をガイドして前記表示パネルに出射する光ガイドユニットを含むバックライトアセンブリと、
前記選択駆動モード時、第１の電力レベルにより前記光源を駆動し、前記常時駆動モード時に前記第１の電力レベルより小さい第２の電力レベルにより前記点光源を駆動する駆動回路部と、を含むことを特徴とする表示装置。
【請求項３１】
前記メイン表示部は、前記選択駆動モード時に前記メイン画像データを表示し、
前記サブ表示部は、前記選択駆動モード及び前記常時駆動モード時に前記付加画像データを表示することを特徴とする請求項３０記載の表示装置。
【請求項３２】
前記光ガイドユニットは、
前記メイン表示部に対応するメイン領域及び前記サブ表示部に対応するサブ領域に区画された出光面と、
前記サブ領域に連結され、前記点光源が配置される側面と、を含むことを特徴とする請求項３０記載の表示装置。
【請求項３３】
サブ表示部とメイン表示部を有する表示パネル、及び、前記サブ表示部とメイン表示部に各々対応するサブ領域とメイン領域とを有する光ガイドユニットを含むバックライトアセンブリを備える表示装置であって、
前記サブ表示部とメイン表示部の双方を表示する選択駆動モードと前記サブ表示部だけを表示する常時駆動モードの切替えが可能で、前記常時駆動モードにおけるバックライトアセンブリの消費電力が、前記選択駆動モードにおけるバックライトアセンブリの消費電力よりも少ない表示装置の輝度調節方法において、
前記バックライトアセンブリに、前記光ガイドユニットのサブ領域に対応する輝度向上部材を形成する段階を含み、
前記常時駆動モードにおける前記サブ表示部の輝度が、前記選択駆動モードにおける前記サブ表示部の輝度よりも実質的に低下しないことを特徴とする輝度調節方法。
【請求項３４】
前記輝度向上部材を形成する段階は、前記サブ領域にのみ光学パターンを形成する段階を含むことを特徴とする請求項３３記載の輝度調節方法。
【請求項３５】
前記光ガイドユニットと前記表示パネルとの間に第１光学シートを形成する段階を更に含み、前記輝度向上部材を形成する段階は、前記光ガイドユニットの前記サブ領域にのみ第２光学シートを形成する段階を更に含むことを特徴とする請求項３３記載の輝度調節方法。
【請求項３６】
前記輝度向上部材を形成する段階は、光源を前記光ガイドユニットの前記サブ領域に隣接して整列する段階を更に含むことを特徴とする請求項３３記載の輝度調節方法。
【請求項３７】
前記選択駆動モードにおいて前記光源に第１レベルの電力を提供し、前記常時駆動モード時において前記光源に前記第１レベルよりも低い第２レベルの電力を提供する段階を更に含むことを特徴とする請求項３６記載の輝度調節方法。
【請求項３８】
さらに第２の光源を前記光ガイドユニットのメイン領域に隣接して整列する段階、前記選択駆動モードにおいて前記第２の光源に第１レベルの電力を印加する段階、及び前記常時駆動モードにおいて前記サブ領域に隣接する光源に前記第１レベルよりも低い第２レベルの電力を印加する段階を更に含むことを特徴とする請求項３６記載の輝度調節方法。
【発明の詳細な説明】
【技術分野】
【０００１】
本発明は、バックライトアセンブリとこれを有する表示装置に係り、より詳細には、サブ領域の輝度を向上させるためのバックライトアセンブリとこれを有する表示装置及びその輝度調節方法に関する。
【背景技術】
【０００２】
一般的に、液晶表示装置は、パソコン、ノードブックコンピュータ、自動車航法システム、テレビセットなどに装着され、電気的フォーマット形態を有する情報を画像に表示する。
前記液晶表示装置は、重さが軽く、体積が小さいという長所を有するので、最近広く使われている。
【０００３】
最近、モバイル液晶表示装置の光特性向上及び消費電力の減少のために、表示パネルをメイン表示部及びサブ表示部に分割し、駆動モードを常時駆動モードと選択駆動モードに分けて駆動する方法が工夫されている。
例えば、前記サブ表示部は、前記常時駆動モードと選択駆動モードの双方の場合に、時間、日付、バッテリ状態などのような付加情報を表示し、前記メイン表示部は、選択駆動モードの場合にのみ、画像信号と文字情報などのようなメイン情報を表示し、前記常時駆動モードの場合にはオフされる。
【０００４】
従来の液晶表示装置において、前記サブ表示部及びメイン表示部は、同一の光源から光の提供を受ける。
したがって、前記常時駆動モードの場合にも前記メイン表示部には光が提供され、前記表示パネルのメイン表示部がブラック駆動され、前記メイン表示部はオフされる。
【０００５】
このように、前記常時駆動モードにおいて前記メイン表示部に提供される光は不必要であるので、消費電力の節減のために前記駆動モードでは選択駆動モードの場合より低電流で駆動される。
しかし、前記常時駆動モードにおいては低電流駆動であるので前記サブ表示部の輝度が十分でなく、そのために前記サブ表示部に表示される画像の品質が低下するという問題点がある。
【０００６】
一方、前記常時駆動モードにおいて、前記サブ表示部の輝度を増加するために、前記メイン表示部の駆動電流と同一のレベルの電流で前記サブ表示部を駆動する場合、消費電力が増加するという問題点がある。
【発明の開示】
【発明が解決しようとする課題】
【０００７】
本発明の技術的な課題は、このような従来の問題点を解決するためのものであって、本発明の目的は、選択的にメイン画像データを表示するメイン表示部と、常時に付加画像データを表示するサブ表示部に区画された表示パネルに光を提供するバックライトアセンブリであって、メイン表示部とサブ表示部の双方が光を必要とする選択駆動モードと、サブ表示部のみが光を必要とする常時駆動モードを備え、前記常時駆動モードにおける消費電力が前記選択駆動モードにおける消費電力よりも抑制されているバックライトアセンブリにおいて、前記サブ表示部への出射光の輝度が前記常時駆動モードにおいても、前記選択駆動モードと実質的に同等に維持することが可能なバックライトアセンブリを提供することにある。
本発明の他の目的は、前記バックライトアセンブリを含む結果、表示品質が向上され、消費電力が節減された表示装置を提供することにある。
本発明のまた他の目的は、前記バックライトアセンブリから発生した光を用いる表示パネルの輝度を調節する方法を提供することにある。
【課題を解決するための手段】
【０００８】
前記の課題を解決するためになされた本発明の請求項１によるバックライトアセンブリは、選択的にメイン画像データを表示するメイン表示部と、常時に付加画像データを表示するサブ表示部に区画された表示パネルに光を提供するバックライトアセンブリにおいて、光を出射する光源と、前記光をガイドする光ガイドユニットとを備え、前記光ガイドユニットは、（ａ）前記光が入射する入光面、（ｂ）前記メイン表示部に対応するメイン領域と、前記サブ表示部に対応し、出光量を増加させる光学パターンが形成されたサブ領域に区画されて、ガイドした光を前記表示パネルに向けて出射する出光面、及び（ｃ）前記出光面に対向する対向面を含むことを特徴とする。
【０００９】
以下選択的に、
請求項２によると、前記光学パターンは、第１の、横断面が一定のピッチで配置された山型からなるプリズム列またはエンボシング部を含む。
請求項４によると、前記対向面には、さらに第２のプリズム列が形成される。
請求項９によると、前記対向面には光散乱パターンが形成され、前記光散乱パターンは、前記メイン領域に対応する対抗面の部分には相対的に疎に形成され、前記サブ領域に対応する対抗面の部分には相対的に密に形成される。
請求項５によると、前記出光面の前記メイン領域は扁平な面を有する。
請求項６によると、前記メイン領域は前記入光面に隣接し、前記サブ領域は前記入光面から離隔している。
請求項７によると、前記対向面は光反射面である。
【００１０】
前記の課題を解決するためになされた本発明の請求項１０によるバックライトアセンブリは、選択的にメイン画像データを表示するメイン表示部と、常時に付加画像データを表示するサブ表示部に区画された表示パネルに光を提供するバックライトアセンブリにおいて、光を出射する光源、光ガイドユニット、第１光学シート、及び第２光学シートを含み、前記光ガイドユニットは、入光面及び出光面を含み、前記入光面には前記光源が出射した光が入射され、前記出光面は、前記メイン表示部に対応するメイン領域及び前記サブ表示部に対応するサブ領域に区画されて、ガイドした光を出射し、前記第１光学シートは、少なくとも前記メイン領域に配置され、前記メイン領域から出射される光の輝度を第１上昇率だけ向上し、前記第２光学シートは、前記サブ領域に配置され、前記サブ領域から出射される光の輝度を第２上昇率だけ向上する。
【００１１】
以下望ましくは、
請求項１１によると、前記第１光学シートは、前記サブ領域をカバーするように配置され、前記第２光学シートは、前記第１光学シートとオーバーレイするように配置される。
請求項１２によると、前記第２光学シートは、デュアルブライトエンハンスメントフィルム（Ｄｕａｌ  Ｂｒｉｇｈｔｎｅｓｓ  Ｅｎｈａｎｃｅｍｅｎｔ  ｆｉｌｍ、以下ＤＢＦＦという）を含む。
請求項１４によると、前記第２光学シートは、集光シートを含む。
【００１２】
前記の課題を解決するためになされた本発明の請求項１５によるバックライトアセンブリは、  選択的にメイン画像データを表示するメイン表示部と、常時に付加画像データを表示するサブ表示部に区画された表示パネルに光を提供するバックライトアセンブリにおいて、第１光源、第２光源、及び光ガイドユニットを含み、前記第１光源は、前記メイン表示部に隣接して配置され、選択的に第１光を出射し、前記第２光源は、前記サブ表示部に隣接して配置され、常時に第２光を出射し、前記光ガイドユニットは、前記第１光及び第２光をガイドして前記表示パネルに出射する。
【００１３】
以下望ましくは、
請求項２０によると、前記第１光源及び第２光源は、発光ダイオードを含む。
請求項１６によると、前記光ガイドユニットは、出光面、第１側面、及び第２側面を含み、前記出光面はメイン領域及びサブ領域に区画され、前記第１側面は前記メイン領域に連結され、前記第２側面は前記サブ領域に連結され、前記第１光源は前記第１側面に配置され、前記第２光源は前記第２側面に配置される。
請求項１７によると、前記光ガイドユニットはメイン導光板及びサブ導光板を含み、前記メイン導光板は前記メイン表示部に対応し、前記メイン導光板には前記第１光源が配置され、前記サブ導光板は前記サブ表示部に対応し、前記サブ導光板には前記第２光源が配置される。
【００１４】
前記の課題を解決するためになされた本発明による他のバックライトアセンブリは、選択的にメイン画像データを表示するメイン表示部と、常時に付加画像データを表示するサブ表示部に区画された表示パネルに光を提供し、光源及び光ガイドユニットを含み、前記光源は光を出射し、前記光ガイドユニットは前記光が入射される入光面と、前記入光面に隣接するメイン領域、及び前記入光面と離隔され、前記入光面と互いに異なる光学パターンが形成され、前記光の輝度を向上させるサブ領域を含む出光面と、前記出光面に対向する対向面を含む。
【００１５】
前記の課題を解決するためになされた本発明の請求項２１による表示装置は、光を出射する光源と、前記光をガイドする光ガイドユニットとからなるバックライトアセンブリ、及び表示パネルを備え、前記光ガイドユニットは（ａ）入光面及び（ｂ）出光面を含み、前記入光面には前記光源が出射した光が入射され、前記出光面はメイン領域及びサブ領域に区画され、ガイドした光を出射し、前記サブ領域には出光量を増加させる光学パターンが形成され、前記表示パネルはメイン表示部及びサブ表示部に区画され、前記メイン表示部は前記出光面の前記メイン領域から出射された光に基づいて選択的にメイン画像データを表示し、前記サブ表示部は前記出光面の前記サブ領域から出射された光に基づいて常時に付加画像データを表示する。
【００１６】
前記の課題を解決するためになされた本発明の請求項２３による表示装置は、（ｉ）光源と（ｉｉ）光ガイドユニット、（ｉｉｉ）第１光学シート、（ｉｖ）第２光学シートからなるバックライトアセンブリ、及び表示パネルを含み、前記光ガイドユニットは（ａ）入光面及び（ｂ）出光面を含み、前記入光面には前記光源が出射した光が入射され、前記出光面はメイン領域及びサブ領域に区画されて、ガイドした光を出射し、前記第１光学シートは前記メイン領域及びサブ領域を覆うように配置され、前記メイン領域及びサブ領域から出射される光の輝度を第１上昇率だけ向上し、前記第２光学シートは前記サブ領域に配置され、前記サブ領域から出射される光の輝度を第２上昇率だけ向上し、前記表示パネルは（ｃ）メイン表示部及び（ｄ）サブ表示部に区画され、前記メイン表示部は前記第１光学シートを介して出射された光に基づいて選択的にメイン画像データを表示し、前記サブ表示部は前記第１光学シート及び第２光学シートを介して出射された光に基づいて常時に付加画像データを表示する。
【００１７】
前記の課題を解決するためになされた本発明の請求項２６による表示装置は、表示パネル、バックライトアセンブリ、及び駆動回路部を含み、前記表示パネルは選択駆動モードにおいて選択的にメイン画像データを表示するメイン表示部、及び常時駆動モードにおいて付加画像データを表示するサブ表示部に区画され、前記バックライトアセンブリは第１光源、第２光源、及び光ガイドユニットを含み、前記第１光源は前記メイン表示部に隣接して配置されて第１光を出射し、前記第２光源は前記サブ表示部に隣接して配置されて第２光を出射し、前記光ガイドユニットは前記第１光及び第２光をガイドして前記表示パネルに向けて出射し、前記駆動回路部は前記選択駆動モード時に前記第１光源に駆動電源を提供し、前記常時駆動モード時に前記第２光源に駆動電源を提供するように前記第１光源及び第２光源を制御する。
【００１８】
望ましくは請求項２７によると、前記駆動回路部は、前記表示パネルに電気的に連結され、前記選択駆動モード時に前記メイン画像データを表示するための第１駆動信号を前記表示パネルに出力し、前記常時駆動モード時に前記付加画像データを表示するための第２駆動信号を前記表示パネルに出力する。
【００１９】
前記の課題を解決するためになされた本発明の請求項３３による輝度調節方法は、サブ表示部とメイン表示部を有する表示パネル、及び、前記サブ表示部とメイン表示部に各々対応するサブ領域とメイン領域とを有する光ガイドユニットを含むバックライトアセンブリを備える表示装置であって、
前記サブ表示部とメイン表示部の双方を表示する選択駆動モードと前記サブ表示部だけを表示する常時駆動モードの切替えが可能で、前記常時駆動モードにおけるバックライトアセンブリの消費電力が、前記選択駆動モードにおけるバックライトアセンブリの消費電力よりも少ない表示装置の輝度を調節する方法において、前記バックライトアセンブリに、前記光ガイドユニットのサブ領域に対応する輝度向上部材を形成する段階を含み、前記常時駆動モードにおける前記サブ表示部の輝度が、前記選択駆動モードにおける前記サブ表示部の輝度よりも実質的に低下しない。
【発明の効果】
【００２０】
本発明によるこのような、バックライトアセンブリ、これを有する表示装置、及びその輝度調節方法によると、低電流により駆動される常時駆動モードにおいても、バックライトアセンブリは、サブ領域からディスプレイ用に適合する輝度の向上した光を出射する。
これによって、前記バックライトアセンブリ及びこれを有する表示装置の消費電力が節減されているにも拘らず、前記表示装置のサブ表示部の表示品質が向上する。
【発明を実施するための最良の形態】
【００２１】
以下、添付した図面を参照して本発明の望ましい実施例を詳細に説明する。
［バックライトアセンブリ］
【実施例１】
【００２２】
図１は、本発明の第１実施例によるバックライトアセンブリの断面図である。
バックライトアセンブリ１１０は、選択駆動モードの場合にのみ選択的に画像を表示するメイン表示部と、常時駆動モードと選択駆動モードの双方の場合、即ち常に画像を表示するサブ表示部に区画された表示パネルに光を提供する。
図１を参照すると、バックライトアセンブリ１１０は、光源１１１、及び光ガイドユニット１１９を含む。
前記光源１１１は、発光ダイオード（ＬＥＤ）である。
他の実施の形態では、前記光源１１１は蛍光ランプであってもよいが、以下の説明では発光ダイオードで代表させる。
前記発光ダイオード及び蛍光ランプは具現が容易である反面、前記光源１１１との距離によって輝度偏差が非常に大きい。
前記光ガイドユニット１１９は、前記発光ダイオード１１１から入射された点形状の分布を有する光をガイドして面形状の分布を有する光を出射する。
前記光ガイドユニット１１９は、入光面１１２、出光面１１３、及び対向面１１５を含む。
【００２３】
前記入光面１１２は、前記発光ダイオード１１１が出射した光の入射を受ける。
前記出光面１１３は、前記入光面１１２を経由してガイドされた光を出射する。
前記出光面１１３は、メイン領域（Ｍａｉｎ  Ｓｅｃｔｉｏｎ；ＭＳ）及びサブ領域（Ｓｕｂ  Ｓｅｃｔｉｏｎ；ＳＳ）に区画される。
本実施例で、メイン領域（ＭＳ）は入光面１１２に隣接し、サブ領域（ＳＳ）は入光面１１２から離隔している。
メイン領域（ＭＳ）は、サブ領域（ＳＳ）と実質的に同一平面上にある。
即ち、メイン領域（ＭＳ）は、入光面１１２とサブ領域（ＳＳ）との間に配置される。
前記メイン領域（ＭＳ）は平坦に形成され、一方前記サブ領域（ＳＳ）にはガイドされた光の出光量を増加させる光学パターン１１４が形成される。
即ち、メイン領域（ＭＳ）とサブ領域（ＳＳ）は、互いに異なるパターンを有する。
前記対向面１１５は、前記出光面１１３に対向して配置され、前記入光面１１２は、前記出光面１１３と対向面１１５を連結する。
【００２４】
これによって、前記光ガイドユニット１１９は、実質的に均一の厚さを有するプレート（ｆｌａｔ  ｔｙｐｅ）形状を有する。
他の実施の形態では、前記光ガイドユニット１１９は、前記入光面１１２から離れるほど厚さが次第に減少するウェッジ形状を有することができる。
したがって、光ガイドユニット１１９の厚さは、サブ領域（ＳＳ）に近づくほど光ガイドユニット１１９のメイン領域（ＭＳ）より減少してウェッジ形状になる。
これについては、後述の実施例６において詳述する。
【００２５】
前記光ガイドユニット１１９は、光透過性、耐熱性、耐化学性、及び機械的強度が優秀な光散乱導光体で形成されることが望ましい。
前記光散乱導光対は、例えば、ポリメチルメタクリレート、ポリアミド、ポリイミド、ポリプロピレン、及びポリウレタンなどからなるマトリクス（母材）と、前記マトリクスに分散された透光性の複数の微粒子から構成される。
他の実施の形態では、前記光ガイドユニット１１９は、透明なアクリル樹脂で形成することができる。
【００２６】
一方、前記光学パターン１１４は、前記サブ領域（ＳＳ）に一体に形成される。
具体的には、前記光学パターン１１４は、横断面が三角形形状を有し、一定のピッチで配置された複数の山型からなる第１のプリズム列を含む。
前記第１のプリズム列は、前記光ガイドユニット１１９の一辺である出光面１１３に、メイン領域に並んで延伸され、前記光ガイドユニット１１９の対抗面１１５と実質的に平行に形成される。
他の実施の形態では、前記第１のプリズム列は、一定のピッチを有するラウンド形状を有することができる。
前記第１のプリズム列は、前記光ガイドユニット１１９の製作時、射出成型により前記出光面に一体に形成されるか、又は前記光ガイドユニット１１９の製作の後、印刷により形成することができる。
【００２７】
前記入光面１１２を通じて前記光ガイドユニット１１９の内部に入射した光は、前記対向面１１５と出光面１１３で反復して反射され、前記入光面１１１と対向する前記光ガイドユニット１１９の末端部まで伝播する。
前記光の伝播過程において、前記光の一部が損失する。
前記入光面１１１に隣接した前記メイン領域（ＭＳ）からは、要求される光量を有する光が出射される。
前記メイン領域（ＭＳ）から出射される光は、前記光ガイドユニット１１９の表面の法線を基準として約７５°乃至８５°に傾いて出射される。
【００２８】
ここで、前記光の伝播過程で光の損失によって、前記サブ領域（ＳＳ）から出射される光量は、前記メイン領域（ＭＳ）から出射される光量より減少する。
前記光学パターン１１４は、前記サブ領域（ＳＳ）から出射される光の経路が、前記光ガイドユニット１１９の表面の法線方向（以下、正面方向という）に、より向うように集光する。
これによって、前記光ガイドユニット１１９の正面方向に前記サブ領域（ＳＳ）から出射される光の輝度が上昇し、前記メイン領域（ＭＳ）から正面方向に出射される光の輝度と実質的に同一になって均衡をなす。
【００２９】
さらに前記常時駆動モードでは、前記バックライトアセンブリ１１０は、前記選択駆動モードより少ない電力により駆動され、前記発光ダイオード１１１に供給される電源電流が小さいので、前記発光ダイオード２１１の発光量が少ない。
その結果、メイン表示部とサブ表示部に分割駆動される表示装置において、前記サブ領域（ＳＳ）から出射される光量は前記サブ表示部のディスプレイ用としては更に減少する。
【００３０】
しかしながら、前記サブ領域（ＳＳ）に形成された前記光学パターン１１４は、前記サブ領域（ＳＳ）から出射される光を集光し、前記光ガイドユニット１１９の正面方向の輝度を上昇させる。
これによって、前記光学パターン１１４は、前記サブ領域（ＳＳ）から出射される光の光学特性を、前記分割駆動される表示装置の表示用光として適合するように変更する。
【実施例２】
【００３１】
図２は、本発明の第２実施例によるバックライトアセンブリの断面図である。
図２を参照すると、バックライトアセンブリ１３０は、光ガイドユニット１３９を除き、上記実施例１（図１）に示した前記バックライトアセンブリ１１０と同一である。
前記光ガイドユニット１３９は、対向面１３５に光散乱パターン１３８が更に形成されていることを除き、図１に示した光ガイドユニット１１９と同一である。
【００３２】
前記光散乱パターン１３８は、前記対向面１３５に凸ドット形状を有するように形成される。
前記光散乱パターン１３８は、前記光ガイドユニット１３９の内部を進行した後に前記対向面１３５に入射した光を散乱させ、前記出光面１３３に入射する光の大部分の入射角を減少させる。
これによって、前記出光面１３３に進行する経路における光損失が減少し、前記出光面１３３を通じた光出射が促進され、前記光ガイドユニット１３９の正面方向に進行する光量が増加する。
【００３３】
前記光散乱パターン１３８は、機械加工、又は印刷方式によって前記凸ドットのピッチが数十マイクロメートルになるよう形成されるが、前記メイン領域（ＭＳ）の光散乱パターン１３８ａの凸ドットは相対的に疎に形成され、前記サブ領域（ＳＳ）の光散乱パターン１３８ｂの凸ドットは、相対的に密に形成される。
光はサブ領域（ＳＳ）で光学パターン１３４を通じて出射される。
【００３４】
前記対向面１３５に、このような前記光散乱パターン１３８を形成するために、前記光散乱パターン１３８を定義する凸ドットは、前記サブ領域（ＳＳ）には前記メイン領域（ＭＳ）よりも相対的に多い個数が形成され、その大きさがより小さく形成される。
【００３５】
前記メイン領域（ＭＳ）に対応する対向面に入射する光量より前記サブ領域（ＳＳ）に対応する対向面に入射する光量は小さいけれども、前記光散乱パターン１３８ａ、１３８ｂは、前記サブ領域（ＳＳ）から出射される光量が減少した入射光量に見合って減少することを相殺する。
【実施例３】
【００３６】
図３は、本発明の第３実施例によるバックライトアセンブリの断面図である。
図３を参照すると、バックライトアセンブリ１５０は、光ガイドユニット１５９を除き、上記実施例２（図２）に示した前記バックライトアセンブリ１３０と実質的に同一である。
前記光ガイドユニット１５９は、光学パターン１５４の形状を除き、図２に示した前記光ガイドユニット１３９と実質的に同一である。
【００３７】
前記光学パターン１５４は、前記サブ領域（ＳＳ）から出射される光の経路をより前記光ガイドユニット１５９の正面方向に向うように集光する。
光源１５１から出射された光は、光ガイドユニット１５９の入光面１５２に入射され、対向面１５５と出射面１５３との間を反復的に反射される。
光散乱パターン１５８は上記実施例２の場合と同様に形成されていて、サブ領域（ＳＳ）の光散乱パターン１５８ｂの凸ドット密度がメイン領域（ＭＳ）の光散乱パターン１５８ａの凸ドット密度よりも高いと、特にサブ領域（ＳＳ）を出射する光の出射角を減少させてサブ領域（ＳＳ）の輝度を向上させることができる。
本実施例では、サブ領域（ＳＳ）を出射する光は、エムボシング部、即ち凸ドットのアレイからなる光学パターン１５４を通過する。
【００３８】
前記凸ドットは、凸レンズのような役割を果たし、前記サブ領域（ＳＳ）から出射される光を集光する。
これによって、前記サブ領域（ＳＳ）から出射される光の正面方向の輝度が向上する。
前記光学パターン１５４は、射出成型によって前記光ガイドユニット１５９を製作した後、印刷方式を用いて前記サブ領域（ＳＳ）の表面に別途に形成することができる。
【００３９】
前記凸ドットは、断面から見るとき、円形または楕円形の形状を有する。
前記ドットの頂点が形成される位置は、正面輝度を向上させるために、円形または楕円形形状の中心に位置することが望ましい。
図３で、前記光学パターン１５４は、陽刻により形成されたが、他の実施の形態では前記凸ドットは陰刻により形成されることもある。
【実施例４】
【００４０】
図４は、本発明の第４実施例によるバックライトアセンブリの断面図である。
図４を参照すると、バックライトアセンブリ１７０は、光ガイドユニット１７９を除き、上記実施例１（図１）に示した前記バックライトアセンブリ１１０と実質的に同一である。
前記光ガイドユニット１７９は、前記対向面１７５に集光パターン１７８が更に形成されていることを除き、図１に示した前記光ガイドユニット１１０と実質的に同一であるので、重複する説明は省略する。
【００４１】
前記集光パターン１７８は、前記対向面１７５に形成される。
図４で前記集光パターン１７８は、横断面が三角形形状を有し、一定のピッチで配置された山型からなる第２のプリズム列を含む。
前記第２のプリズム列は、前記対向面１７５に陽刻または陰刻により形成される。
前記第２のプリズム列は、前記光ガイドユニット１７９の内部から前記対向面１７５に入射する光の経路を、より前記光ガイドユニット１７９の正面方向に向うように変更させる。
【００４２】
前記サブ領域（ＳＳ）から出射される光量が前記メイン領域（ＭＳ）から出射される光量より小さくなることを相殺するために、前記第２のプリズム列の山型のピッチは、前記メイン領域（ＭＳ）より前記サブ領域（ＳＳ）でより狭く形成されることが望ましい。
【実施例５】
【００４３】
図５は、本発明の第５実施例によるバックライトアセンブリの分解斜視図である。図６は、図５に示したバックライトアセンブリをＩ−Ｉ’に沿って見た断面図である。
図５及び図６を参照すると、バックライトアセンブリ３００は、光源３１０、光ガイドユニット３３０、第１光学シート３６０、反射シート３６７、及び第２光学シート３７０を含む。
【００４４】
前記光源３１０は、図１に示した前記光源（発光ダイオード）１１１と同一である。
前記光ガイドユニット３３０は、前記発光ダイオード３１０から入射された点形状の分布を有する光をガイドし、面形状の分布を有する光を出射する。
前記光ガイドユニット３３０は、入光面３３１、出光面３３３、及び対向面３３５を含む。
【００４５】
前記入光面３３１は、前記光源３１０から光の提供を受ける。
前記出光面３３３は、メイン領域（ＭＳ）及びサブ領域（ＳＳ）に区画され、ガイドされた光を出射する。
前記メイン領域（ＭＳ）及びサブ領域（ＳＳ）は、前記出光面３３３を複数の領域に区画するために任意的に定義したものであって、前記メイン領域（ＭＳ）及びサブ領域（ＳＳ）は、例えば、互いに隣接して配置され、前記出光面３３３を２分割する。
即ち、メイン領域（ＭＳ）は、サブ領域（ＳＳ）と実質的に同一の出光面３３３上に形成される。
前記対向面３３５は、前記出光面３３３に対向し、前記入光面３３１は、前記出光面３３３と対向面３３５とを連結する。
図６で、前記光ガイドユニット３３０は、実質的に均一の厚さを有するプレート形状（Ｆｌａｔ  ｔｙｐｅ）を有する。
【００４６】
前記第１光学シート３６０は、前記メイン領域（ＭＳ）及びサブ領域（ＳＳ）をカバーして前記出光面３３３から出射される光学特性、例えば、輝度均一性及び正面方向の輝度を向上させる。
入射光量に対する正面方向の出射光量の比を輝度上昇率と定義するとき、前記第１光学シート３６０は、第１輝度上昇率を有する。
他の実施の形態では、前記第１光学シート３６０は、前記メイン領域（ＭＳ）にのみ配置することができる。
前記第１光学シート３６０は、拡散シート３６１、集光シート３６３、及び保護シート３６５を含む。
【００４７】
前記拡散シート３６１は、光ガイドユニット３３０と集光シート３６３との間に配置され、前記メイン領域（ＭＳ）及びサブ領域（ＳＳ）から出射された光を拡散し、輝度均一性がより向上した光を出射する。
前記拡散シート３６１は、ベース本体及び前記ベース本体上に配置され、入射光を拡散させる拡散ビード、及び前記ベース本体と前記拡散ビードの間に配置されて前記拡散ビードを前記ベース本体に固定するバインダを含む。
他の実施の形態では、前記拡散ビードは、前記ベース本体の内部に配置することができる。
【００４８】
前記集光シート３６３は、前記拡散シート３６１上に配置され、前記拡散シート３６１から出射された光を集光して正面方向の輝度が向上した光を出射する。
これを実現するために、前記集光シート３６３には、一定のピッチで配置された複数の山型からなる第３のプリズム列が形成される。
前記第３のプリズム列の複数の山型の長手方向は、前記入光面３３１と垂直をなす。
即ち、集光シート３６３の第３のプリズム列は、光ガイドユニット３３０の入射面３３１から、光ガイドユニット３３０の出光面３３３に沿って、入射面３３１と反対側の面に向かって平行に延びる。
【００４９】
これによって、前記集光シート３６３の表面には、前記第３のプリズム列の複数の山型によって山と溝が形成され、凹凸形状を有する。
前記集光シート３６３の上面が凹凸形状を有することによって、前記集光シート３６３の上面が平坦な場合に比べ、前記集光シート３６３から正面方向に出射される光量が増加し、同時に出射光の経路が前記光ガイドユニット３３０の正面方向により近接するように変更される。
前記保護シート３６５は、前記集シート３６３上に配置されて前記集光シート３６３をスクラッチなどから保護する。
【００５０】
前記反射シート３６７は、前記光ガイドユニット３３０の前記対向面３３５に配置され、前記対向面３３５から漏洩する光を前記対向面３３５に再び入射させて光の利用効率を向上させる。
前記反射シート３６７は、反射効率が優秀な金属膜を含むことが望ましい。
【００５１】
前記第２光学シート３７０は、前記サブ領域（ＳＳ）に対応する位置に、前記集光シート３６３と前記保護シート３６５との間に配置され、前記サブ領域（ＳＳ）から出射される光の正面方向の輝度を上昇させる。
第２光学シート３７０は、メイン領域（ＭＳ）には配置されない。
ここで、前記第２光学シート３７０は、前記第１光学シート３６０の第１輝度上昇率より大きい第２輝度上昇率を有する。
【００５２】
図５で、前記第２光学シート３７０は、輝度上昇シートであって、デュアルブライトエンハンスメントフィルム（ＤＢＥＦ）とも呼ばれる。
前記第２光学シート（輝度上昇シート）３７０は、輝度を理想的には２倍にできる特性を有するフィルムであって、この種類のフィルムはアメリカの３Ｍ社から市販されている。
【００５３】
光を、互いに垂直をなして振動するＳ波とＰ波の二つの等エネルギの成分で構成された波動に単純化するとき、前記輝度上昇シート３７０は、前記Ｓ波の振動方向を前記Ｐ波の振動方向と同一に変更させて出射させる。
バックライトアセンブリ３００の上には、一般にＰ波を通過させてＳ波を消滅させる偏光板（図示せず）が設けられるが、光が前記輝度上昇シート３７０を通じて前記偏光板を通過すると、理想的にはＳ波のエネルギが失われず、全て前記Ｐ波に変換されて前記偏光板を通過する。
その結果、前記輝度上昇シート３７０は、前記偏光板を通過する光を基準として輝度を約２倍に上昇させる役割を果たす。
【００５４】
前記バックライトアセンブリ３００を表示装置の光発生装置として採用する場合、前記表示装置は、ディスプレイ機能を行う表示パネルを含み、前記表示パネルは、前記バックライトアセンブリ３００から提供される光の光学特性を調節するために偏光板を含む。
また、前記表示パネルは、前記光ガイドユニット３３０の前記メイン領域（ＭＳ）及びサブ領域（ＳＳ）にそれぞれ対応するメイン表示部及びサブ表示部に区画される。
【００５５】
一方、前記バックライトアセンブリ３００が前記選択駆動モードより小さい電力を消費する前記常時駆動モードにおいて駆動される場合、前記発光ダイオード３１０に供給される電源電流が前記選択駆動モードの場合より小さい。
したがって、前記発光ダイオード３１０の発光量がより小さくなる。
その結果、従来技術による限り、前記サブ領域（ＳＳ）から前記サブ表示部に提供される光量が表示用としては更に不足する。
【００５６】
しかしながら、本実施例では、前記輝度上昇シート３７０が、前述したように前記サブ領域（ＳＳ）に対応して配置され、前記サブ領域（ＳＳ）から出射される光の輝度を上昇させて、前記サブ表示部に提供される光の光学特性を表示装置の表示用光として適合するように変更する。
【実施例６】
【００５７】
図７は、本発明の第６実施例によるバックライトアセンブリの分解斜視図である。
図７を参照すると、バックライトアセンブリ４００は、光ガイドユニット４３０及び第２光学シート４７０を除き、上記実施例５（図５及び図６）に示したバックライトアセンブリ３００と実質的に同一であるので、重複する説明は省略する。
【００５８】
前記光ガイドユニット４３０は、前記入光面４３１から離れるに連れて厚さが次第に減少するウェッジ形状を有する。
光源４１０から発生した光は、入光面４３１にガイドされる。
光ガイドユニット４３０はウェッジ形状を有するので、出光面４３３及び対向面４３５は互いに平行でなく、入光面４３１から離れるほど出光面４３３と対向面４３５との距離が近くなる。
前記ウェッジ形状の光ガイドユニット４３０は、プレート形状を有する光ガイドユニット４３０より一般に優秀な光出射効率を有する。
反射シート４６７は、対向面４３５の下部に配置することができる。
【００５９】
前記第２光学シート４７０は、前記光ガイドユニット４３０の前記サブ領域（ＳＳ）に対応して前記集光シート４６３上に配置される。
図７で、前記第２光学シート４７０は、出射光の経路を前記光ガイドユニット４３０の正面方向により近接するように変更する第２集光シートである。
【００６０】
前記第２集光シート４７０には、一定のピッチで配置された複数の山型からなる第４のプリズム列が形成される。
前記第４のプリズム列の複数の山型は、前記第２集光シート４７０の上面に相互に平行に形成され、前記第４のプリズム列の複数の山型の長手方向は、前記集光シート４６３に形成された前記第３のプリズム列の山型の長手方向と交差し、望ましくは、直角に交差する。
【００６１】
前記第２集光シート４７０は、前記拡散シート４６１及び集光シート４６３によって前記第１輝度上昇率だけ輝度が上昇した光を再び集光する。
これによって、前記第２集光シート４７０から出射された光の正面方向の輝度は、前記第１輝度上昇率に加えて第２輝度上昇率だけ向上し、前記光ガイドユニット４３０の正面方向の輝度が増加する。
したがって、前記サブ領域（ＳＳ）から出射される光の正面輝度が向上する。
【実施例７】
【００６２】
図８は、本発明の第７実施例によるバックライトアセンブリの斜視図である。
図８を参照すると、バックライトアセンブリ５００は、第１光源５１１、第２光源５１３、及び光ガイドユニット５３０を含む。
図８で、前記第１光源５１１及び第２光源５１３は各々、第１発光ダイオード及び第２発光ダイオードからなる。
他の実施の形態では、前記第１光源５１１または第２光源５１３はランプであってもよい。
【００６３】
図８で、前記バックライトアセンブリ５００は、電源供給ユニット５１７を更に含む。
前記電源供給ユニット５１７は、選択駆動モード時には、前記第１光源５１１及び第２光源５１３に駆動のための電源電流を供給し、常時駆動モード時には、前記第１光源５１１を除いて、前記第２光源５１３だけに駆動のための電源電流を供給する。
【００６４】
これによって、前記第１発光ダイオード５１１は、前記選択駆動モード時に光を出射し、前記常時駆動モード時にオフされ、前記第２発光ダイオード５１３は、前記選択駆動モード及び常時駆動モード時に光を出射する。
他の実施の形態では、前記第２発光ダイオード５１３は、前記選択駆動モード時にオフすることもできる。
【００６５】
前記光ガイドユニット５３０は、前記第１発光ダイオード５１１及び第２発光ダイオード５１３から提供された光をガイドして上部に出射する。
前記光ガイドユニット５３０は、出光面５３１、第１乃至第４側面（５３３、５３５、５３７、５３９）を含む。第２側面５３５は、第１側面５３３に向い合う。
第３側面５３７は、第１側面５３３及び第２側面５３５を互いに連結する。第４側面５３９は、第３側面５３７に向い合う。
第１側面５３３及び第２側面５３５は向い合ってもよく、第３側面５３７及び第４側面５３９も向い合ってもよい。
前記出光面５３１は、第１の面積を有するメイン領域（ＭＳ）と前記第１の面積より小さい第２の面積を有するサブ領域（ＳＳ）に区分される。
前記メイン領域（ＭＳ）及びサブ領域（ＳＳ）は、第１方向（Ｘ）に直列連結される。
即ち、メイン領域（ＭＳ）は、サブ領域（ＳＳ）と同一平面上に形成される。
【００６６】
前記第１側面５３３は、前記第１方向（Ｘ）に前記メイン領域（ＭＳ）に連結され、前記第２側面５３５は、前記第１側面と対向して前記サブ領域（ＳＳ）に連結される。
前記第３側面５３７は、前記第１方向（Ｘ）と直交するような第２方向（Ｙ）に前記メイン領域（ＭＳ）及びサブ領域（ＳＳ）に連結され、前記第４側面５３９は、前記第３側面５３７と対向して前記メイン領域（ＭＳ）及びサブ領域（ＳＳ）に連結される。
前記光ガイドユニット５３０は、前記出光面５３１に対向する対向面を更に含む。
【００６７】
前記第１発光ダイオード５１１は、前記第１側面５３３に二つが配置され、前記第２発光ダイオード５１３は、前記第３側面５３７のうち、前記サブ領域（ＳＳ）に連結された部分に配置される。
他の実施の形態では、前記第１発光ダイオード５１１及び第２発光ダイオード５１３が配置される数及び配置される位置は、多様に変更することができる。
例えば、前記第１発光ダイオード５１１は、前記第３側面５３７のうち、前記メイン領域（ＭＳ）に連結された部分に配置され、前記第２発光ダイオード５１３は、前記第２側面５３５に配置することができる。
【００６８】
図９は、メインモード、即ち選択駆動モードで、第１発光ダイオード及び第２発光ダイオードに印加される駆動信号のタイミング図である。
図１０は、メインモード、即ち選択駆動モードにおける光ガイドユニットからの出射光の輝度を、図８のＩＩ−ＩＩ’に沿って示すグラフである。
【００６９】
図９を参照すると、前記第１発光ダイオード５１１、５１１（ＤＭ１、ＤＭ２）は、選択駆動モードで前記第１側面５３５に光を提供し、前記第２発光ダイオード５１３（ＤＳ１）は、前記第３側面５３７のうち、前記サブ領域（ＳＳ）に連結された部分に光を提供する。
これによって、前記光ガイドユニット５３０によってガイドされた光は、図１０に示したように、前記出光面５３１のメイン領域（ＭＳ）及びサブ領域（ＳＳ）を通じて出射される。その結果、前記出光面５３１のメイン領域（ＭＳ）及びサブ領域（ＳＳ）から出射される光量は実質的に同一になる。
【００７０】
図１１は、サブモード、即ち常時駆動モードで、第１発光ダイオード及び第２発光ダイオードに印加される駆動信号のタイミング図である。
図１２は、サブモード、即ち常時駆動モードで、光ガイドユニットからの出射光の輝度を、図８のＩＩ−ＩＩ’に沿って示すグラフである。
【００７１】
図１１を参照すると、常時駆動モードで、前記第１発光ダイオード５１１、５１１（ＤＭ１、ＤＭ２）はオフされ、前記第２発光ダイオード５１３（ＤＳ１）は、前記第３側面５３７のうち、前記サブ領域（ＳＳ）に連結された部分に光を提供する。
光ガイドユニット５３０によってガイドされた光は、図１２に示したように、前記メイン領域（ＭＳ）に実質的にガイドされず、殆どが前記サブ領域（ＳＳ）を通じて出射される。
【００７２】
このように、前記第２発光ダイオード５１３から提供された光の殆ど全ては、前記サブ領域（ＳＳ）にガイドされるので、前記選択駆動モード時より常時駆動モード時に前記第２発光ダイオード５１３に、より少ない電力が提供されても、前記サブ領域（ＳＳ）から出射される光は表示用として十分な輝度を有する。
【実施例８】
【００７３】
図１３は、本発明の第８実施例によるバックライトアセンブリの斜視図である。
図１４は、図１３に示したバックライトアセンブリの分解斜視図である。
図１３及び図１４を参照すると、バックライトアセンブリ６００は、第１光源６１１、第２光源６１３、及び光ガイドユニット６４０を含む。
【００７４】
前記第１光源６１１、第２光源６１３、及び光ガイドユニット６４０は、図８に示した前記第１光源５１１、第２光源５１３、及び光ガイドユニット５３０と実質的に同一である。
【００７５】
前記バックライトアセンブリ６００は、電源印刷回路フィルム６１５、電源供給ユニット６１７、及び収納容器６２０を更に含む。
前記電源印刷回路フィルム６１５は、後述するように、前記電源供給ユニット６１７と前記第１発光ダイオード６１１及び第２発光ダイオード６１３を電気的に連結する。
前記電源印刷回路フィルム６１５は、「Ｔ」字形状を有し、第１電源ライン、第２電源ライン、及び前記電源供給ユニット６１７に連結される端部に分岐する。
第１発光ダイオード６１１は、電源印刷回路フィルム６１５の第１電源ライン部分に付着され、第２発光ダイオード６１３は、電源印刷回路フィルム６１５の第２電源ライン部分に付着される。
第１及び第２電源ライン部分は、互いに垂直に延び、「Ｌ」字形状を形成する。
前記第１発光ダイオード６１１は、前記第１電源ラインに実装され、前記第２発光ダイオード６１３は、前記第２電源ラインに実装される。
【００７６】
前記電源供給ユニット６１７は、図８に示した電源供給ユニット５１７と同一である。
前記電源供給ユニット６１７は、前記選択駆動モード時、前記第１発光ダイオード６１１及び第２発光ダイオード６１３に電源電流を提供し、前記常時駆動モード時、前記第２発光ダイオード６１３に電源電流を提供する。
【００７７】
図１５は、図１４に示したバックライトアセンブリをＩＩＩ−ＩＩＩ’に沿って見た部分断面図である。
図１３乃至図１５を参照すると、前記収納容器６２０は、底板６２１及び第１乃至第４側壁（６２３、６２５、６２７、６２９）を含む。
【００７８】
図１４に示したように、前記バックライトアセンブリ６００の重さ及び体積を減少させるために、前記底板６２１には開口を形成することができる。
前記第１乃至第４側壁（６２３、６２５、６２７、６２９）は、前記底板６２１の周辺部に配置される。
前記第１側壁６２３と第２側壁６２５は、互いに向い合うように配置される。
前記第３側壁６２７と第４側壁６２９は、互いに向い合うように配置され、前記第１側壁６２３と第２側壁６２５をそれぞれ連結する。
【００７９】
図１５を参照すると、前記第１側壁６２３には、前記第１側壁６２３の内側から前記底板６２１を貫通する３つの第１溝６２４が形成され、同様に、前記第３側壁６２５には、前記第３側壁６２５の内側の第３側壁６２７に接する端部に、前記底板６２１を貫通する１つの第２溝（図示せず）が形成される。
第１溝６２４の個数は、第１発光ダイオードの数に合わせて変更される。
【００８０】
前記電源印刷回路フィルム６１５に実装された前記第１発光ダイオード６１１は、図１４及び図１５に示したように、前記底板６２１の背面から前記第１溝６２４に挿入され、前記電源印刷回路フィルム６１５に実装された前記第２発光ダイオード６１３は、前記底板６２１の背面から前記第２溝に挿入される。
【００８１】
前記第１側壁６２３には、前記第１側壁６２３の上部から前記第１側壁６２３の外側面に沿って第１ガイド溝及び第２ガイド溝が形成される。
前記「Ｔ」字形状の電源印刷回路フィルム６１５のうち、前記端部は、前記第２ガイド溝を囲むように折曲げられ、前記電源供給ユニット６１７に電気的に連結される。
【００８２】
前記光ガイドユニット６３０は、前記第１発光ダイオード６１１及び第２発光ダイオード６１３から提供された光をガイドして上部に出射する。
具体的に、前記選択駆動モード時、前記第１発光ダイオード６１１及び第２発光ダイオード６１３から提供された光をガイドして前記表示パネルの前記メイン表示部及びサブ表示部に提供し、前記常時駆動モード時、前記第２発光ダイオード６１３から提供された光を第３側面６４７側にガイドして、前記サブ表示部に提供する。
光ガイドユニット６４０の第２側面６４５は、第１側面６４３と向い合い、光ガイドユニット６４０が収納されたとき、収納容器６２０の第２側壁６２５に隣接する。
【００８３】
前記バックライトアセンブリ６００は、光学シート６５０を更に含む。
前記光学シート６５０は、前記光ガイドユニット６４０から出射される光の光学特性を向上させる。
前記光学シート６５０は、前記光ガイドユニット６４０の前記メイン領域（ＭＳ）及びサブ領域（ＳＳ）を全体的にカバーするように配置される。
【００８４】
前記光学シート６５０は、反射シート６５１、拡散シート６５３、及び集光シート６５５を含む。
前記反射シート６５１は、前記光ガイドユニット６４０の対向面に配置され、前記対向面から漏洩する光を前記対向面に再び入射させて光利用効率を向上させる。
【００８５】
前記拡散シート６５３及び２枚の前記集光シート６５５は、前記出光面６４１に積層配置される。
前記拡散シート６５３は、前記光ガイドユニット６４０から出射された光を拡散させて輝度均一性を向上させる。
前記集光シート６５５は、互いに集光方向が異なるように配置され、前記拡散シート６５３から出射された拡散光を集光して正面輝度を向上させる。
【００８６】
前記反射シート６５１、光ガイドユニット６４０、拡散シート６５３、及び集光シート６５５は、この順に前記収納容器６２０の底板６２１に積層される。
ここで、前記光ガイドユニット６４０の第１乃至第４側面（６４３、６４５、６４７、６４９）は、それぞれ前記収納容器６２０の第１乃至第４側壁（６２３、６２５、６２７、６２９）に対応する。
これによって、前記第１発光ダイオード６１１は、前記光ガイドユニット６４０の第１側面６４３に光を提供し、前記第２発光ダイオード６１３は、前記光ガイドユニット６４０の第３側面６４７のうち、サブ領域（ＳＳ）に連結された部分に光を提供する。
【実施例９】
【００８７】
図１６は、本発明の第９実施例によるバックライトアセンブリの分解斜視図である。
図１７は、図１６に示したバックライトアセンブリをＩＶ−ＩＶ’に沿って見た断面図である。
図１６及び図１７を参照すると、バックライトアセンブリ７００は、第１光源７１１、第２光源７１３、電源印刷回路フィルム７１５、電源供給ユニット７１７、収納容器７２０、光ガイドユニット７４０、及び光学シート７５０を含む。
【００８８】
前記第１光源７１１、第２光源７１３、及び電源供給ユニット７１７は、駆動方法を除いては、図１４に示した前記第１発光ダイオード６１１、第２発光ダイオード６１３、及び電源供給ユニット６１７と実質的に同一である。
【００８９】
具体的に、前記第１発光ダイオード６１１は、前記選択駆動モード時に光を出射し、前記常時駆動モード時にオフされる。
前記第２発光ダイオード６１３は、前記選択モード時にオフされ、前記常時駆動モード時に光を出射する。
そのために、前記電源供給ユニット７１７は、前記選択駆動モード時には、前記第１発光ダイオード７１１に駆動のための電源電流を提供し、前記常時駆動モード時には、前記第２発光ダイオード７１３に駆動のための電源電流を提供する。
【００９０】
前記電源印刷回路フィルム７１５は、「Ｔ」字形状を有する。
例えば、電源印刷回路フィルム７１５の第１部分は、第１方向に延びて第１発光ダイオード７１１を収納し、電源印刷回路フィルム７１５の第２部分は、第１部分の中央から第１方向に直角な第２方向に延びて第２発光ダイオード７１３を収納する。
前記電源印刷回路フィルム７１５は、前記第１発光ダイオード７１１及び第２ダイオード７１３と電気的に連結される導電配線を含む。
本実施例では３つの前記第１発光ダイオード７１１が前記「Ｔ」字形状の電源印刷回路フィルム７１５の第１部分に実装される。
また、一つの前記第２発光ダイオード７１３が前記電源印刷回路フィルム７１５の第２部分に実装される。
【００９１】
前記収納容器７２０は、前記第２側壁７２５の内側中央部に前記第２発光ダイオード７１３が挿入される第２溝７２６が形成されることを除いては、図１４に示した前記収納容器６２０と実質的に同一である。
第２側壁７２５は、第１側壁７２３に向い合い、第３側壁７２７及び第４側壁７２９は互いに向い合い、第１側壁７２３及び第２側壁７２５に連結される。
【００９２】
前記光ガイドユニット７４０は、メイン導光板７４１、サブ導光板７４５を含む。
前記メイン導光板７４１及びサブ導光板７４５は、図１３乃至図１５に示した前記光ガイドユニット６４０とサイズを除いては実質的に同一である。
前記メイン導光板７４１の出光面は第１の面積を有し、前記サブ導光板７４５の出光面は前記第１の面積より小さい第２の面積を有する。
【００９３】
前記メイン導光板７４１は、前記選択駆動モード時、前記第１発光ダイオード７１１から提供された光をガイドして上部に出射する。
前記サブ導光板７４５は、前記常時駆動モード時、前記第２発光ダイオード７１３から提供された光をガイドして上部に出射する。
【００９４】
前記光ガイドユニット７４０は、反射膜７４７を更に含む。
前記反射膜７４７は、前記メイン導光板７４１とサブ導光板７４５との間に配置され、前記メイン導光板７４１とサブ導光板７４５との間の光漏れを遮断する。
反射膜７４７は、光ガイドユニット７４０の光出射面（出光面）を基準として所定の角度（本実施例では９０度）を有して延びた平板形状を有する。
前記反射膜７４７は、光反射率が優秀な金属薄膜、例えば、アルミニウム薄膜を含むことが望ましい。
【００９５】
前記光学シート７５０は、図１３乃至図１５に示した前記光学シート６５０と実質的に同一である。
前記反射シート７５１、光ガイドユニット７４０、拡散シート７５３、及び集光シート７５５は、この順に前記収納容器７２０の底板７２１に積層される。
ここで、前記メイン導光板７４１及びサブ導光板７４５は隣接して配置され、前記反射膜７４７は、前述したように前記メイン導光板７４１とサブ導光板７４５との間に配置される。
［表示装置］
【実施例１０】
【００９６】
図１８は、本発明の第１０実施例による表示装置の断面図である。
図１８を参照すると、表示装置８００は、光源８１０、光ガイドユニット８３０、及び表示パネル８９０を含む。
光源８１０は、多様な種類の発光素子を含むことができる。
【００９７】
前記光源８１０及び光ガイドユニット８３０は各々、上記実施例２（図２）に示した前記バックライトアセンブリ１３０を構成する、光源１３１及び光ガイドユニット１３９と実質的に同一である。
前記光ガイドユニット８３０の屈折率が一例として１．４９であり、空気の屈折率は１であるので、前記光ガイドユニット８３０の出光面８３３のうち、前記メイン領域（ＭＳ）から出射される光は、屈折の法則によって前記出光面８３３の表面の法線を基準として約７５°〜８３°の角度に大きく傾いた状態に出射される。
反面、前記サブ領域（ＳＳ）に形成された前記光学パターン８３４は、前記サブ領域（ＳＳ）から出射される光を前記光ガイドユニット８３０の正面方向に集光する。
【００９８】
また、前記光ガイドユニット８３０の前記対向面８３５に形成された前記光散乱パターン８３８は、前記メイン領域（ＭＳ）に対応する部分より前記サブ領域（ＳＳ）に対応する部分に相対的に密に形成される。
その結果、前記光学パターン８３４と前記光散乱パターン８３８は、前記サブ領域（ＳＳ）から前記光ガイドユニット８３０の正面方向に出射される光量の減少を相殺する。
【００９９】
前記表示装置８００は、光学シート８４０を更に含む。
前記光学シート８４０は、前記光ガイドユニット８３０の出光面８３３から出射される光の光学特性、例えば、輝度均一性及び正面方向の輝度を向上する。
【０１００】
前記表示パネル８９０は、前記光ガイドユニット８３０から提供された光に基づいて画像を表示する。
前記表示パネル８９０は、メイン表示部（Ｍａｉｎ  Ｄｉｓｐｌａｙ  Ｐｏｒｔｉｏｎ；ＭＤＰ）及びサブ表示部（Ｓｕｂ  Ｄｉｓｐｌａｙ  Ｐｏｒｔｉｏｎ；ＳＤＰ）に区画される。
前記メイン表示部（ＭＤＰ）及びサブ表示部（ＳＤＰ）が全て画像情報を表示するモードを選択駆動モードと定義し、前記メイン表示部（ＭＤＰ）がオフされ、前記サブ表示部（ＳＤＰ）のみが画像情報を表示するモードを常時駆動モードと定義する。
【０１０１】
前記メイン表示部（ＭＤＰ）は、前記メイン領域（ＭＳ）から提供された光に基づいて選択的にメイン画像データを表示する。
前記サブ表示部（ＳＤＰ）は、前記サブ領域（ＳＳ）から提供された光に基づいて常時、付加画像データを表示する。
【０１０２】
そのために、前記表示パネル８９０は、第１基板８９１、第２基板８９５、及び液晶層（図示せず）を含む。
前記第１基板８９１は、メイン画素部とサブ画素部を含む。
選択駆動モードでは、前記メイン画素部に形成された画素電極には、前記メイン画像データを表示するために第１駆動信号が印加される。
選択駆動モード及び常時駆動モードでは、前記サブ画素部に形成された画素電極には付加画像データを表示するために第２駆動信号が印加される。
【０１０３】
前記第２基板８９５は、前記第１基板８９１に対向し、前記第１基板８９１のメイン画素部とサブ画素部に対応するメインカラーフィルタ部とサブカラーフィルタ部を含む。
前記第２基板８９５は、前記画素電極に対応する共通電極を更に含む。
【０１０４】
前記液晶層は、前記第１基板８９１と第２基板８９５との間に介在する。
前記表示パネル８９０は、パネル印刷回路フィルム８９７を更に含む。
前記パネル印刷回路フィルム８９７は、前記第１基板８９１の一辺に電気的に連結され、前記表示パネル８９０にパネル駆動信号を提供する。
【０１０５】
前記パネル印刷回路フィルム８９７から印加された前記パネル駆動信号によって、前記画素電極と共通電極との間に電場が形成され、前記画素電極と共通電極との間に介在する前記液晶層の配列が変更される。
これによって、前記表示パネルを通過する光の透過度が変更され、前記表示装置８００は、希望する階調の画像を表示する。
【０１０６】
一方、前記選択駆動モードでは、前記メイン表示部（ＭＤＰ）に画像を表示するために十分な電源電流が前記光源８１０である発光ダイオード８１０に供給され、前記発光ダイオード８１０は、前記サブ表示部（ＳＤＰ）に画像情報を表示するための十分な光量を提供する。
【０１０７】
消費電力を抑制するために、前記常時駆動モードにおいて非常に低いレベルの電源電流が前記発光ダイオード８１０に提供される場合、前記光ガイドユニット８３０に形成された前記光学パターン８３４及び前記光散乱パターン８３８は、正面方向に集光し、前記サブ領域（ＳＳ）から正面方向に出射される光量が不足である点を補完する。
【実施例１１】
【０１０８】
図１９は、本発明の第１１実施例による表示装置の分解斜視図である。
図２０は、図１９に示した表示装置をＶ−Ｖ’に沿って見た断面図である。
図１９及び図２０を参照すると、表示装置９００は、光源９２０、光ガイドユニット９３０、第１光学シート９６０、第２光学シート９７０からなるバックライトアセンブリ９０５、及び表示パネル９９０を含む。
光源９２０から発生した光は、光ガイドユニット９３０の入光面９３１を通じて入射された後、出光面９３３を通じて出射されるか、又は対抗面９３５と出光面９３３との間で反射されて出光面９３３を通じて出射される。
【０１０９】
前記バックライトアセンブリ９０５を構成する光源９２０、光ガイドユニット９３０、第１光学シート９６０、及び第２光学シート９７０は各々、上記実施例５（図５）に示した前記バックライトアセンブリ３００を構成する、光源３１０、光ガイドユニット３３０、第１光学シート３６０、及び第２光学シート３７０と実質的に同一であるので、重複する説明は省略する。
第１基板９９１、第２基板９９５、及びパネル印刷回路フィルム９９７を含む前記表示パネル９９０は、第１基板９９１、第２基板９９５、及び液晶層（図示せず）を含み、上記実施例１０（図１８）に示した前記表示パネル８９０と実質的に同一である。
【０１１０】
前記表示パネル９９０は、メイン表示部（ＭＤＰ）及びサブ表示部（ＳＤＰ）に分割して駆動される。
前記メイン表示部（ＭＤＰ）は、前記光ガイドユニット９３０のメイン領域（ＭＳ）に対応し、前記サブ表示部（ＳＤＰ）は、前記光ガイドユニット９３０のサブ領域（ＳＳ）に対応する。
前記表示パネル９９０は、前記第１光学シート９６０及び第２光学シート９７０から出射された光に基づいて画像を表示する。
第１光学シート９６０は、光ガイドユニット９３０上に配置された拡散シート９６１、集光シート９６３、及び保護シート９６５を含む。
反射シート９６７は、光ガイドユニット９３０の対向面９３５上に配置することができる。
第２光学シート９７０は、第１光学シート９６０の集光シート９６３と保護シート９６５との間に配置される。
【０１１１】
具体的には、前記メイン表示部（ＭＤＰ）は、選択駆動モード時、前記第１光学シート９６０から出射された光に基づいて画像信号と文字情報を含む画像データを表示する。
常時駆動モード時、前記メイン表示部（ＭＤＰ）はブラック駆動されることが望ましい。
【０１１２】
前記サブ表示部（ＳＤＰ）は、選択駆動モード及び常時駆動モード時、前記第１光学シート９６０及び第２光学シート９７０から出射された光に基づいて時間、日付、バッテリの状態を含む付加画像データを表示する。
【０１１３】
一方、消費電力の減少のために、前記常時駆動モードにおいて非常に低いレベルの電源電流が前記光源９２０に提供される場合、前記第２光学シート（輝度上昇シート）９７０は、前記光ガイドユニット９３０のサブ領域（ＳＳ）から出射される光の輝度を前記（実施例５）第２輝度上昇率に上昇させて前記サブ表示部（ＳＤＰ）に提供する。
即ち、前記第２光学シート９７０は、前記常時駆動モードで前記サブ領域（ＳＳ）から前記サブ表示部（ＳＤＰ）に提供される光量が不足な点を補完する。
【実施例１２】
【０１１４】
図２１は、本発明の第１２実施例による表示装置の斜視図である。
図２２は、図２１に示した表示装置の分解斜視図である。
図２３は、図２２に示した表示装置をＶＩ−ＶＩ’に沿って見た断面図である。
図２１乃至図２３を参照すると、表示装置１１００は、バックライトアセンブリ１１０５、駆動回路部１１１７及び表示パネル１１９０を含む。
【０１１５】
前記バックライトアセンブリ１１０５は、第１光源１１１１、第２光源１１１３、電源印刷回路フィルム１１１５、収納容器１１２０、光ガイドユニット１１４０、及び光学シート１１５０を含む。
収納容器１１２０は、底板１１２１及び第１側壁〜第４側壁（１１２３、１１２５、１１２７、１１２９）を含む。
反射シート１１５１及び光学シート１１５０の一部は、底板１１２１上に配置される。
光ガイドユニット１１４０は、第１乃至第４側壁（１１２３、１１２５、１１２７、１１２９）にそれぞれ隣接する第１側面１１４３、第２側面１１４５、第３面１１４７、及び第４側面（図示せず）を含む。
光学シート１１５０は、拡散シート１１５３及び集光シート１１５５を更に含む。
光は、光ガイドユニット１１４０の出光面１１４１を通じて出射されて拡散シート１１５３及び集光シート１１５５を通じて表示パネル１１９０に入射される。
前記バックライトアセンブリ１１０５は、上記実施例８（図１３乃至図１５）に示したバックライトアセンブリ６００と、前記電源供給ユニット６１７が記載されていないことを除き、実質的に同一である。
【０１１６】
前記駆動回路部１１１７は、選択駆動モード時、第１発光ダイオード１１１１及び第２発光ダイオード１１１３に駆動のための電源電流を提供し、常時駆動モード時、第２発光ダイオード１１１３に駆動のための電源電流を提供する。
そのために、前記駆動回路部１１１７は、後述するパネル印刷回路フィルム１１９７を通じて電源印刷回路フィルム１１１５に電気的に連結される。
【０１１７】
前記表示パネル１１９０は、第１基板１１９１、第２基板１１９５、及び液晶層１１９６を含み、上記実施例１１（図１９）に示した前記表示パネル９９０と実質的に同一であるので、重複する説明は省略する。
前記パネル印刷回路フィルム１１９７には、前記表示装置を実質的に駆動する前記駆動回路部１１１７が実装される。
前記駆動回路部１１１７は、前記表示パネル１１９０を駆動するデータ信号及び制御信号を含む駆動信号を出力し、前述したように、前記電源印刷回路フィルム１１１５に実装された第１発光ダイオード１１１１及び第２発光ダイオード１１１３を駆動する電源電流を出力する。
【０１１８】
前記パネル印刷回路フィルム１１９７は、収納容器１１２０の第１側壁１１２３の上端と外壁に形成された第１ガイド溝に沿って、前記第１側壁１１２３を囲むように折曲げられる。
また、前記パネル印刷回路フィルム１１９７は、前記第１側壁１１２３の下端と外壁に形成された第２ガイド溝に沿って折曲げられた前記電源印刷回路フィルム１１１５と電気的に連結される。
【０１１９】
前記表示パネル１１９０は、前記バックライトアセンブリ１１０５から提供された光に基づいて画像を表示する。
具体的には、前記バックライトアセンブリ１１０５は、前記選択駆動モード時、前記駆動回路部１１１７の制御によって前記第１発光ダイオード１１１１及び第２発光ダイオード１１１３を発光させ、前記メイン表示部（ＭＤＰ）及びサブ表示部（ＳＤＰ）に光を提供する。
ここで、前記表示パネル１１９０は、前記駆動回路部１１１７の制御によって前記メイン表示部（ＭＤＰ）に画像信号と文字情報を含むメイン情報を表示し、前記サブ表示部（ＳＤＰ）に時間、日付、バッテリの状態を含む付加情報を表示する。
他の実施の形態では、前記選択駆動モード時、前記第２発光ダイオード１１１３がオフすることもできる。
【０１２０】
前記バックライトアセンブリ１１０５は、前記常時駆動モード時、前記駆動回路部１１１７の制御によって前記第２発光ダイオード１１１３だけを発光させて、前記サブ表示部（ＳＤＰ）に光を提供する。
ここで、前記表示パネル１１９０は、前記駆動回路部１１１７の制御によって前記サブ表示部（ＳＤＰ）に時間、日付、バッテリの状態を含む付加情報を表示する。
【実施例１３】
【０１２１】
図２４は、本発明の第１３実施例による表示装置の分解斜視図である。
図２５は、図２４に示した表示装置をＶＩＩ−ＶＩＩ’に沿って見た断面図である。
図２４及び図２５を参照すると、表示装置１３００は、バックライトアセンブリ１３０５、駆動回路部１３１７、及び表示パネル１３９０を含む。
【０１２２】
前記バックライトアセンブリ１３０５は、第１光源１３１１、第２光源１３１３、電源印刷回路フィルム１３１５、収納容器１３２０、光ガイドユニット１３３０、及び光学シート１３６０を含む。
収納容器１３２０は、底板１３２１、第１側壁乃至第４側壁（１３２３、１３２５、１３２７、１３２９）を含む。
光学シート１３６０の反射シート１３６１は、底板１３２１上に収納される。
メイン導光板１３４０、サブ導光板１３５０、及び反射膜１３５５を含む光ガイドユニット１３３０は、反射シート１３６１上に収納される。
光学シート１３６０は、拡散シート１３６３及び集光シート１３６５を更に含む。
前記バックライトアセンブリ１３０５は、上記実施例９（図１６）に示したバックライトアセンブリ７００と比較して、電源印刷回路フィルム７１５の端部に連結されていた電源供給ユニット７１７が除かれた点と、前記第１光源７１１、第２光源７１３、電源印刷回路フィルム７１５、及び収納容器７２０が各々、実施例８（図１４）に示した第１光源６１１、第２光源６１３、電源印刷回路フィルム６１５、及び収納容器６２０に相当する第１光源１３１１、第２光源１３１３、電源印刷回路フィルム１３１５、及び収納容器１３２０により代替された点を除いては、図１６に示した前記バックライトアセンブリ７００と実質的に同一である。
【０１２３】
表示パネル１３９０は、第１基板１３９１、第２基板１３９５、及び第１基板１３９１と第２基板１３９５との間に配置された液晶層１３９６を含む。
駆動回路部１３１７は、第１基板１３９１と連結されたパネル印刷回路フィルム１３９７に連結される。
前記駆動回路部１３１７及び表示パネル１３９０は、上記実施例１２（図２２）に示した駆動回路部１１１７、及び表示パネル１１９０と実質的に同一である。
【実施例１４】
【０１２４】
図２６は、本発明の第１４実施例による表示装置の分解斜視図である。
図２７は、図２６に示した表示装置をＶＩＩＩ−ＶＩＩＩ’に沿って見た断面図である。
図２６及び図２７を参照すると、表示装置１５００は、バックライトアセンブリ１５０５、駆動回路部１５１７、及び表示パネル１５９０を含む。
【０１２５】
前記バックライトアセンブリ１５０５は、光源１５１１、電源印刷回路フィルム１５１５、収納容器１５２０、光ガイドユニット１５４０、及び光学シート１５５０を含む。
収納容器１５２０は、底板１５２１、第１乃至第４側壁（１５２３、１５２５、１５２７、１５２９）を含む。
光学シート１５５０の反射シート１５５１は、底板１５２１上に収納される。
光学シート１５５０は、拡散シート１５５３及び光ガイドユニット１５４０と表示パネル１５９０との間に配置された集光シート１５５５を更に含む。
前記バックライトアセンブリ１５０５は、上記実施例８（図１３乃至図１５）に示したバックライトアセンブリ６００と比較して、光源６１１の数と光源６１１が配置される位置が異なり、それに伴い電源印刷回路フィルム６１５と収納容器６２０の溝の形状が異なり、さらに電源供給ユニット６１７が除かれた点を除いては、図１３乃至１５に示したバックライトアセンブリ６００と実質的に同一である。
【０１２６】
前記バックライトアセンブリ１５０５は、点光源１５１１を含む。
本実施例では、１つの点光源としたが、複数個の（点）光源であってもよい。
前記点光源１５１１は、例えば、発光ダイオード（ＬＥＤ）からなり、前記表示装置１５００の消費電力の節減のために、その数は最小限（１個）にしてある。
図２６で、前記バックライトアセンブリ１５０５は、１つの前記発光ダイオード１５１１を含む。
【０１２７】
前記光ガイドユニット１５４０は、出光面１５４１及び第１乃至第４側面（１５４３、１５４５、１５４７、１５４９）を含む。
前記出光面１５４１は、メイン領域（ＭＳ）とサブ領域（ＳＳ）に区分される。
前記メイン領域（ＭＳ）及びサブ領域（ＳＳ）は、第１方向（図２６で、ＳからＭへの方向）に隣接配置される。
前記第１側面１５４３は、前記第１方向に関して前記メイン領域（ＭＳ）に連結され、前記第２側面１５４５は、前記第１側面１５４３と対向して前記サブ領域（ＳＳ）に連結される。
前記第３側面１５４７は、前記第１方向と直交する方向に関して前記メイン領域（ＭＳ）及びサブ領域（ＳＳ）に連結され、前記第４側面１５４９は、前記第３側面１５４７と対向し、前記メイン領域（ＭＳ）及びサブ領域（ＳＳ）に連結される。
光ガイドユニット１５４０の第１乃至第４側面（１５４３、１５４５、１５４７、１５４９）は各々、収納容器１５２０の第１乃至第４側壁（１５２３、１５２５、１５２７、１５２９）に対応する。
前記光ガイドユニット１５４０は、前記出光面１５４１に対向する対向面を更に含む。
前記発光ダイオード１５１１は、光ガイドユニット１５４０の前記第２側面１５４５に接するように、収納容器１５２０の第２側壁１５２５の溝１５２６の内に配置される。
【０１２８】
表示パネル１５９０は、第１基板１５９１、第２基板１５９５、及び第１基板１５９１と第２基板１５９５との間に配置された液晶層１５９６を含む。
パネル印刷回路フィルム１５９７は、第１基板と連結され、駆動回路部１５１７は、パネル印刷回路基板１５９７に連結される。
前記駆動回路部１５１７及び表示パネル１５９０は、上記実施例１２（図２１乃至図２３）に示した駆動回路部１１１７及び表示パネル１１９０と実質的に同一である。
【０１２９】
図２８及び図２９は、本実施例において発光ダイオードに提供される駆動信号と消費電力を示すグラフである。
具体的に、図２８は、選択駆動モード時、前記発光ダイオード１５１１に印加される第１電源電流による消費電力ＰＭを示し、図２９は、常時駆動モード時、前記発光ダイオード１５１１に印加される第２電源電流による消費電力ＰＳを示す。
【０１３０】
図２８及び図２９を参照すると、前記駆動回路部１５１７は、前記選択駆動モード時、前記発光ダイオード１５１１に第１電源電流を提供し、前記常時駆動モード時、前記第１電源類より低いレベルの第２電源電流を前記発光ダイオード１５１１に提供する。
ここで、前記常時駆動モード時、前記メイン表示部（ＭＤＰ）は、ブラック駆動されることが望ましい。
【０１３１】
図２８で、前記第１電源電流による消費電力ＰＭは、前記選択駆動モード時、前記発光ダイオード１５１１が消費する第１電力レベルを示し、図２９で、前記第２電源電流による消費電力ＰＳは、前記常時駆動モード時、前記発光ダイオード１５１１が消費する第２電力レベルを示す。
前記サブ表示部（ＳＤＰ）のみ画像を表示する前記常時駆動モードでは、図２８及び図２９に示したように、消費電力を節減するために前記第２電力レベルＰＳは、前記第１電力レベルＰＭより非常に低いレベルを有する。
【０１３２】
一方、前記サブ表示部（ＳＤＰ）は、常時に付加画像データを表示するため、前記サブ表示部（ＳＤＰ）の輝度は、前記表示装置１５００の表示品質に大きい比重を占める。
本実施例による表示装置１５００では、前記常時駆動モードで前記サブ表示部（ＳＤＰ）の輝度を向上させるために、前述したように、前記発光ダイオード１５１１が、前記出光面１５４１の前記サブ領域（ＳＳ）に連結された前記第２側面１５４５に配置されている。
【０１３３】
図３０は、参照ケースとして、本実施例とは逆に、前記光ガイドユニット１５４０の前記第１側面１５４３に、前記発光ダイオード１５１１が配置された場合、前記光ガイドユニット１５４０の出射光の輝度を示す図面である。
図３１は、本実施例に従い、前記光ガイドユニット１５４０の前記第２側面１５４５に、前記発光ダイオード１５１１が配置された場合、前記光ガイドユニット１５４０の出射光の輝度を示す図面である。
具体的には、図３０及び図３１は、共に前記発光ダイオード１５１１が前記第２電力レベルで駆動される常時駆動モード時、前記光ガイドユニット１５４０の出射光の輝度を示す。
【０１３４】
前記常時駆動モードで、参照ケースの場合、前記光ガイドユニット１５４０が出射する光の輝度は、図３０に示したように、前記メイン領域（ＭＳ）において前記サブ領域（ＳＳ）に比べて非常に高い。
即ち、常時駆動モードでは前記付加画像データを表示する前記サブ表示部（ＳＤＰ）の表示品質が低下する。
【０１３５】
一方、本実施例の場合、前記常時駆動モードで前記光ガイドユニット１５４０が出射する光の輝度は、図３１に示したように、前記サブ領域（ＳＳ）において前記メイン領域（ＭＳ）に比べて非常に高い。
別のシミュレーション実験結果によると、前記サブ領域（ＳＳ）の輝度は、図３０の場合より図３１の場合が約３０％向上する。
【実施例１５】
【０１３６】
以上、実施例１〜９に係るバックライトアセンブリ、及び実施例１０〜１４に係る、バックライトアセンブリを含む表示装置の説明を、バックライトアセンブリを含む表示装置の輝度を調節する方法として見直すと、
サブ表示部とメイン表示部を有する表示パネル、及び、前記サブ表示部とメイン表示部に各々対応するサブ領域とメイン領域とを有する光ガイドユニットを含むバックライトアセンブリを備える表示装置であって、前記サブ表示部とメイン表示部の双方を表示する選択駆動モードと前記サブ表示部だけを表示する常時駆動モードの切替えが可能で、前記常時駆動モードにおけるバックライトアセンブリの消費電力が、前記選択駆動モードにおけるバックライトアセンブリの消費電力よりも少ない表示装置の輝度を調節する方法において、前記バックライトアセンブリに、前記光ガイドユニットのサブ領域に対応する輝度向上部材を形成する段階を含み、前記常時駆動モードにおける前記サブ表示部の輝度が、前記選択駆動モードにおける前記サブ表示部の輝度よりも実質的に低下しないようにする、輝度調節方法が具体的に開示されている。
【０１３７】
例えば、実施例１には、前記輝度向上部材を形成する段階が前記サブ領域にのみ光学パターンを形成する段階を含む輝度調節方法が具体的に開示されている。
実施例５には、前記光ガイドユニットと前記表示パネルとの間に第１光学シートを形成する段階を更に含み、前記輝度向上部材を形成する段階は、前記光ガイドユニットの前記サブ領域にのみ第２光学シートを形成する段階を更に含む輝度調節方法が具体的に開示されている。
実施例１４には、前記輝度向上部材を形成する段階は、光源を前記光ガイドユニットの前記サブ領域に隣接して整列する段階を更に含む輝度調節方法が具体的に開示されている。
実施例１４には、前記選択駆動モードにおいて前記光源に第１レベルの電力を提供し、前記常時駆動モードにおいて前記光源に前記第１レベルよりも低い第２レベルの電力を提供する段階を更に含む輝度調節方法が具体的に開示されている。
実施例７〜９には、さらに第２の光源を前記光ガイドユニットのメイン領域に隣接して整列する段階、前記選択駆動モードにおいて前記第２の光源に第１レベル電力を印加する段階、及び前記常時駆動モードにおいて前記サブ領域に隣接する光源に前記第１レベルよりも低い第２レベルの電力を印加する段階を更に含む輝度調節方法が具体的に開示されている。
【産業上の利用可能性】
【０１３８】
以上詳細に説明したように、本発明による一実施例において、バックライトアセンブリが含む光ガイドユニットの出光面には、部分的に出光量を増加させる光学パターンが形成され、前記光ガイドユニットの対向面にも部分的に密度の異なる光散乱パターンまたは集光パターンが選択的に形成される。
【０１３９】
また、他の実施例で、バックライトアセンブリは、光ガイドユニットのメイン領域及びサブ領域に対応する部分が互いに異なる構成を有する光学シートを含む。
また、他の実施例で、バックライトアセンブリは、光ガイドユニットのメイン領域に光を提供する光源と光ガイドユニットのサブ領域に光を提供する光源を別途に具備する。
また、他の実施例で、バックライトアセンブリは、消費電力の節減のために、光ガイドユニットのサブ領域にのみ隣接する光源を具備する。
【０１４０】
これによって、本発明によるバックライトアセンブリでは、消費電力が抑制された状態（常時駆動モード）でもサブ領域から表示用として十分な輝度を有する光を出射できるので、前記バックライトアセンブリの消費電力が減少する。
【０１４１】
また、本発明による表示装置は、前記バックライトアセンブリを含み、前記常時駆動モードで、前記サブ領域に対応するサブ表示部に、正面輝度が維持・向上された光の提供を受ける。
したがって、メイン画像データを常時に表示せず、また前記メイン画像データが比較的に重要でない場合、前記サブ表示部に提供される光の輝度を維持・向上して表示品質を維持・向上しながら、消費電力を節減することができる。
【０１４２】
以上、本発明の実施例によって詳細に説明したが、本発明はこれに限定されず、本発明が属する技術分野において通常の知識を有するものであれば本発明の思想と精神を離脱することなく、本発明を修正または変更できる。
【図面の簡単な説明】
【０１４３】
【図１】本発明の第１実施例によるバックライトアセンブリの断面図である。
【図２】本発明の第２実施例によるバックライトアセンブリの断面図である。
【図３】本発明の第３実施例によるバックライトアセンブリの断面図である。
【図４】本発明の第４実施例によるバックライトアセンブリの断面図である。
【図５】本発明の第５実施例によるバックライトアセンブリの分解斜視図である。
【図６】図５に示したバックライトアセンブリをＩ−Ｉ’に沿って見た断面図である。
【図７】本発明の第６実施例によるバックライトアセンブリの分解斜視図である。
【図８】本発明の第７実施例によるバックライトアセンブリの斜視図である。
【図９】選択駆動モードで、第１発光ダイオード及び第２発光ダイオードに印加される駆動信号のタイミング図である。
【図１０】選択駆動モードで、光ガイドユニットからの出射光の輝度を、図８のＩＩ−ＩＩ’に沿って示すグラフである。
【図１１】常時駆動モードで、第１発光ダイオード及び第２発光ダイオードに印加される駆動信号のタイミング図である。
【図１２】常時駆動モードで、光ガイドユニットからの出射光の輝度を、図８のＩＩ−ＩＩ’に沿って示すグラフである。
【図１３】本発明の第８実施例によるバックライトアセンブリの斜視図である。
【図１４】図１３に示したバックライトアセンブリの分解斜視図である。
【図１５】図１４に示したバックライトアセンブリをＩＩＩ−ＩＩＩ’に沿って見た部分断面図である。
【図１６】本発明の第９実施例によるバックライトアセンブリの分解斜視図である。
【図１７】図１６に示したバックライトアセンブリをＩＶ−ＩＶ’に沿って見た断面図である。
【図１８】本発明の第１０実施例による表示装置の断面図である。
【図１９】本発明の第１１実施例による表示装置の分解斜視図である。
【図２０】図１９に示した表示装置をＶ−Ｖ’に沿って見た断面図である。
【図２１】本発明の第１２実施例による表示装置の斜視図である。
【図２２】図２１に示した表示装置の分解斜視図である。
【図２３】図２２に示した表示装置をＶＩ−ＶＩ’に沿って見た断面図である。
【図２４】本発明の第１３実施例による表示装置の分解斜視図である。
【図２５】図２４に示した表示装置をＶＩＩ−ＶＩＩ’に沿って見た断面図である。
【図２６】本発明の第１４実施例による表示装置の分解斜視図である。
【図２７】図２６に示した表示装置をＶＩＩＩ−ＶＩＩＩ’に沿って見た断面図である。
【図２８】発光ダイオードに提供される駆動信号と消費電力を示すグラフである。
【図２９】発光ダイオードに提供される駆動信号と消費電力を示すグラフである。
【図３０】メイン領域の付近に発光ダイオードが配置された場合、光ガイドユニットの出射光の輝度を示す図である。
【図３１】サブ領域の付近に発光ダイオードが配置された場合、光ガイドユニットの出射光の輝度を示す図である。
【符号の説明】
【０１４４】
１１０、１３０、１５０、１７０、３００、４００、５００、６００、７００    バックライトアセンブリ
１１１、１３１、１５１、１７１、３１０、４１０    光源（発光ダイオード）
１１２、１３２、１５２、１７２、３３１、４３１    入光面
１１３、１３３、１５３、１７３、３３３、４３３、５３１    出光面
１１４、１３４、１５４、１７４    光学パターン
１１５、１３５、１５５、１７５、３３５、４３５    対抗面
１１９、１３９、１５９、１７９、３３０、４３０、５３０、６４０、７４０    光ガイドユニット
１３８、１５８、１７８    光散乱パターン
１３８ａ、１５８ａ    （メイン領域の）光散乱パターン
１３８ｂ、１５８ｂ    （サブ領域の）光散乱パターン
４１０    光源
３６０、４６０    第１光学シート
３６１、４６１、６５３、７５３    拡散シート
３６３、４６３、６５５、７５５    集光シート
３６５、４６５    保護シート
３６７、４６７、６５１、７５１    反射シート
３７０    第２光学シート（輝度上昇シート）
４７０    第２光学シート（第２集光シート）
５１１、５１３、６１１、６１３、７１１、７１３    光源（発光ダイオード）
５３３、５３５、５３７、５３９    第１〜第４側面
５１７、６１７、７１７    電源供給ユニット
６１５、７１５    電源印刷回路フィルム
６２０、７２０    収納容器
６２１    底板
６２３、６２５、６２７、６２９    第１〜第４側壁
６２４    （収容容器の側壁に設けた、第１の）溝
６５０、７５０、９６０    （第１）光学シート
９７０    第２光学シート
７２６    （収容容器の側壁に設けた）第２溝
７４１、７４５    導光板
７４７、１３５５    反射膜
８００、９００、１１００、１３００、１５００    表示装置
８１０、９２０、１１１１、１１１３、１３１１、１３１３、１５１１    光源（発光ダイオード）
８３０、９３０、１１４０、１３３０、１５４０    光ガイドユニット
８４０、９６０、１１５０、１３６０、１５５０    （第１）光学シート
８９０、９９０、１１９０、１３９０、１５９０    表示パネル
８９１、９９１、１１９１、１３９１、１５９１    第１基板
８９５、９９５、１１９５、１３９５、１５９５    第２基板
８９７、９９７、１１９７、１３９７、１５９７    パネル印刷回路フィルム
９０５、１１０５、１３０５、１５０５    バックライトアセンブリ
９３１    入光面
９３３    出光面
９３５    対抗面
９６１、１１５３、１３６３、１５５３    拡散シート
９６３、１１５５、１３６５、１５５５    集光シート
９６５    保護シート
９６７、１１５１、１３６１、１５５１    反射シート
９７０    第２光学シート（輝度上昇シート）
１１１５、１３１５、１５１５    電源印刷回路フィルム
１１２０、１３２０、１５２０    収納容器
１１１７、１３１７、１５１７    駆動回路部
１１２１、１３２１、１５２１    底板
１１２３、１１２５、１１２７、１１２９、    第１〜第４側壁
１１４３、１１４５、１１４７    光ガイドユニット１１４０の第１〜第３側面
１１９６、１３９６、１５９６    液晶層
１３２３、１３２５、１３２７、１３２９、    第１〜第４側壁
１５２３、１５２５、１５２７、１５２９、    第１〜第４側壁
１５４３、１５４５、１５４７、１５４９    光ガイドユニット１５４０の第１〜第４側面
１５２６    （収容容器の側壁に設けた）溝
【図１】
2006350338.tif 000003
【図２】
2006350338.tif 000004
【図３】
2006350338.tif 000005
【図４】
2006350338.tif 000006
【図５】
2006350338.tif 000007
【図６】
2006350338.tif 000008
【図７】
2006350338.tif 000009
【図８】
2006350338.tif 000010
【図９】
2006350338.tif 000011
【図１０】
2006350338.tif 000012
【図１１】
2006350338.tif 000013
【図１２】
2006350338.tif 000014
【図１３】
2006350338.tif 000015
【図１４】
2006350338.tif 000016
【図１５】
2006350338.tif 000017
【図１６】
2006350338.tif 000018
【図１７】
2006350338.tif 000019
【図１８】
2006350338.tif 000020
【図１９】
2006350338.tif 000021
【図２０】
2006350338.tif 000022
【図２１】
2006350338.tif 000023
【図２２】
2006350338.tif 000024
【図２３】
2006350338.tif 000025
【図２４】
2006350338.tif 000026
【図２５】
2006350338.tif 000027
【図２６】
2006350338.tif 000028
【図２７】
2006350338.tif 000029
【図２８】
2006350338.tif 000030
【図２９】
2006350338.tif 000031
【図３０】
2006350338.tif 000032
【図３１】
2006350338.tif 000033